(57)【要約】【課題】意図しない駆動が行われることの防止が可能な電動工具を提供する。【解決手段】本発明に係る電動工具１は、電気で駆動される電動工具であって、押動されることで駆動電源がオンとなるスイッチノブ３０を備え、前記スイッチノブ３０には、該スイッチノブ３０が押動された際に前記電動工具１の本体部１０の所定部位１１と当接可能となる第１位置と該本体部１０と当接しない第２位置との間をスライド移動可能に固定されたロックプレート４０が設けられている。【選択図】図１
2016175148.tif 000002
【特許請求の範囲】
【請求項１】
電気で駆動される電動工具であって、
押動されることで駆動電源がオンとなるスイッチノブを備え、
前記スイッチノブには、該スイッチノブが押動された際に前記電動工具の本体部の所定部位と当接可能となる第１位置と該本体部と当接しない第２位置との間をスライド移動可能に固定されたロックプレートが設けられていること
を特徴とする電動工具。
【請求項２】
前記スイッチノブは、一端側が円弧状に回動可能なように他端側が前記本体部に軸支されて固定され、該回動の方向と直交する第１面の面上に前記ロックプレートが設けられていること
を特徴とする請求項１記載の電動工具。
【請求項３】
前記本体部の前記所定部位は、該本体部において前記スイッチノブの前記一端側の端面に沿うように立設された突起部であって、
前記スライド移動により当接可能となる前記ロックプレートの当接部と前記突起部の先端部との間隔が３ｍｍ以下となるように設定されていること
を特徴とする請求項２記載の電動工具。
【請求項４】
前記ロックプレートは、前記スライド移動の方向と直交する方向に突出する取手部が設けられていること
を特徴とする請求項１〜３のいずれか一項に記載の電動工具。
【請求項５】
前記スイッチノブおよび前記ロックプレートは、一方にスライド溝が設けられ、他方にスライド突起が設けられ、相互に係合されていること
を特徴とする請求項１〜４のいずれか一項に記載の電動工具。
【発明の詳細な説明】
【技術分野】
【０００１】
本発明は、電気で駆動される電動工具に関する。
【背景技術】
【０００２】
従来より、ワイヤー、ケーブルに圧着端子を固定するための圧着工具や、ワイヤー、ケーブルを切断する切断工具等、電気で駆動されて所定動作を行う電動工具が知られている。
【０００３】
一例として、特許文献１記載の電動工具１０１が提案されている（図７参照）。この電動工具は、本体部１１０に着脱式のバッテリ１１２を備えるコードレスタイプであって、作業者がスイッチノブ１１４を押動している間、電気モータ（不図示）によって油圧ポンプ（不図示）を駆動し、この油圧によって口金１１６の先端部を閉じることによりワイヤー、ケーブルに圧着端子を固定する圧着工具である。
【先行技術文献】
【特許文献】
【０００４】
【特許文献１】特開２０１３−１６９５７３号公報
【発明の概要】
【発明が解決しようとする課題】
【０００５】
特許文献１に例示されるコードレスタイプの電動工具においては、本体部にバッテリを装着した状態で保管や運搬が行われる場合がある。その際、作業者や物等がスイッチノブに触れる等によって押動された状態となれば、意図しない駆動が行われる可能性があった。
【０００６】
本発明は、上記事情に鑑みてなされ、意図しない駆動が行われることの防止が可能な電動工具を提供することを目的とする。
【課題を解決するための手段】
【０００７】
一実施形態として、以下に開示するような解決手段により、前記課題を解決する。
【０００８】
開示の電動工具は、電気で駆動される電動工具であって、押動されることで駆動電源がオンとなるスイッチノブを備え、前記スイッチノブには、該スイッチノブが押動された際に前記電動工具の本体部の所定部位と当接可能となる第１位置と該本体部と当接しない第２位置との間をスライド移動可能に固定されたロックプレートが設けられていることを要件とする。
【発明の効果】
【０００９】
本発明によれば、作業者や物等が意図せずにスイッチノブに触れてしまった場合であっても、当該スイッチノブの押動を規制することができるため、意図しない駆動が行われることの防止が可能となる。
【図面の簡単な説明】
【００１０】
【図１】本発明の実施形態に係る電動工具の例を示す概略図（斜視図）である。
【図２】図１に示す電動工具の先端部の概略図（部分断面図）である。
【図３】図１に示す電動工具のスイッチノブおよびその近傍部の拡大図であり、図３（ａ）はロックプレートが後端部（第１位置）まで移動した状態であり、図３（ｂ）はロックプレートが先端部（第２位置）まで移動した状態である。
【図４】図１に示す電動工具のスイッチノブおよびロックプレートの例を示す概略図（斜視図）であり、図４（ａ）はロックプレートが後端部（第１位置）まで移動した状態であり、図４（ｂ）はロックプレートが先端部（第２位置）まで移動した状態である。
【図５】図１に示す電動工具のスイッチノブの例を示す概略図である。
【図６】図１に示す電動工具のロックプレートの例を示す概略図である。
【図７】従来の実施形態に係る電動工具の例を示す概略図である。
【発明を実施するための形態】
【００１１】
以下、図面を参照して、本発明の実施形態について詳しく説明する。図１は、電動工具１の例を示す概略図（斜視図）である。また、図２は、電動工具１の先端部の概略図（部分断面図）である。また、図３は、電動工具１のスイッチノブ３０（ロックプレート４０が係合された状態）およびその近傍部の拡大図である。なお、実施形態を説明するための全図において、同一の機能を有する部材には同一の符号を付し、その繰り返しの説明は省略する場合がある。
【００１２】
本実施形態に係る電動工具１は、図１、２に示すように、作業者が片手で把持して作業可能なコードレスタイプの電動工具である。先端部の口金は交換可能に構成されている。例えば、先端部に圧着用の口金１４を設けることにより、ケーブル等と圧着端子をカシメにより圧着する圧着工具として用いることができる。一方、先端部に切断用のカッタを有する口金（不図示）を設けることにより、ケーブル等を切断する切断工具として用いることもできる。以下、本実施形態に係る電動工具１として、圧着工具の場合を例に挙げて説明を行う。
【００１３】
この電動工具１は、作業者が把持を行う棒状の本体部１０と、その先端に固定された取付部１２と、この取付部１２に交換可能に装着された口金１４と、着脱可能な充電式のバッテリ１６とを有する。一例として、口金１４はシャンク１８を中心軸として回動可能に取付部１２に支持されている。
【００１４】
また、本体部１０の内部には、バッテリ１６の電源で駆動される電気モータ、この電気モータにより駆動される油圧シリンダ、駆動等の制御を行う制御部、等が設けられている（いずれも不図示）。
【００１５】
上記の構成を備える電動工具１の動作については、電気モータが駆動されると、油圧シリンダのピストン２０が本体部１０の先端方向に向かって移動する。このとき、ピストン２０の先端に設けられたローラ２２が口金１４の後端部１４ｂに形成された開口部１４ｃを押し広げるように進入する。これによって、後端部１４ｂが開く方向に動作すると共に、シャンク１８で軸支された先端部１４ａが閉じる方向に動作する。したがって、口金の先端部１４ａに形成された凹部１４ｄ内にケーブル等と圧着端子とを収納しておくことにより、これらを圧着する作用を得ることができる。
【００１６】
なお、本実施形態においては、本体部１０に設けられたスイッチノブ３０が押動されている間のみ、バッテリ１６から電源が供給されて電気モータが駆動される構成となっている。ただし、この構成に限定されるものではなく、スイッチノブ３０が押動されたときに、電気モータの駆動が開始され、次にスイッチノブ３０が押動されたときに、電気モータの駆動が停止される等の構成としてもよい。
【００１７】
ここで、本実施形態に係るスイッチノブ３０について説明する。スイッチノブ３０には、スライド移動可能に固定されたロックプレート４０が設けられている。スイッチノブ３０にロックプレート４０が固定された状態の概略図（斜視図）を図４（ａ）、４（ｂ）に示す。このスイッチノブ３０は、押動された際に一端側（後端側）３０ｘが軸ｓ１を中心軸として円弧状（矢印Ａ方向）に回動可能なように、他端側（先端側）３０ｙが本体部１０に軸支されて固定される。
【００１８】
また、ロックプレート４０は、スイッチノブ３０において、回動の方向（矢印Ａ方向）と直交する上面（「第１面」と称する）３０ａの面上に配設されている。なお、変形例として、側面（「第２面」と称する）３０ｃの面上にロックプレート４０が配設される構成としてもよい（不図示）。
【００１９】
ここで、ロックプレート４０は、スイッチノブ３０が押動された際に本体部１０の所定部位と当接可能となる第１位置（図３（ａ）、４（ａ）に示す位置／ロック位置）と、本体部１０のいずれの部位とも当接しない第２位置（図３（ｂ）、４（ｂ）に示す位置／ロック解除位置）との間をスライド移動可能に構成されている。より具体的には、本体部１０の所定部位とは、本体部１０においてスイッチノブ３０の一端側（後端側）３０ｘの端面（後端面）３０ｂに沿うように立設された突起部１１である。
【００２０】
図５、６を用いてロックプレート４０をスライド移動させるための構成について説明する。なお、図５（ａ）は、スイッチノブ３０を側面方向から視た図であり、図５（ｂ）は、スイッチノブ３０を後端面方向から視た図である。これと対応させて、図６（ａ）は、ロックプレート４０を側面方向から視た図であり、図６（ｂ）は、ロックプレート４０を後端面方向から視た図である。一例として、スイッチノブ３０において、第１面３０ａ側にスライド溝３０ｅ、３０ｅが設けられている。また、ロックプレート４０において、裏面４０ｂ側にスライド突起４０ｅ、４０ｅが設けられている。これによれば、スイッチノブ３０のスライド溝３０ｅ、３０ｅと、ロックプレート４０のスライド突起４０ｅ、４０ｅとが係合されて、ロックプレート４０はスイッチノブ３０に対して矢印Ｂ方向にスライド移動可能となり、且つ、スイッチノブ３０はロックプレート４０が係合された状態で矢印Ａ方向に回動可能となる（図４（ａ）、４（ｂ）参照）。すなわち、作業者が電動工具１の駆動にあたりスイッチノブ３０を押動する際は、スイッチノブ３０の第１面３０ａの面上に配設されたロックプレート４０の表面４０ａを押動することとなる。なお、変形例として、上記とは逆に、スイッチノブ３０にスライド突起を設け、ロックプレート４０にスライド溝を設ける構成としてもよい（不図示）。
【００２１】
上記の構成によれば、スイッチノブ３０に対してロックプレート４０を後端部に引き出した位置である第１位置までスライド移動させることによって、スイッチノブ３０（ここでは、ロックプレート４０の表面４０ａ）が押動された際に、ロックプレート４０の所定部位（ここでは、ロックプレート４０の裏面４０ｂ側の当接部４０ｃ）が本体部１０の突起部１１（ここでは、先端部１１ａ）と当接可能となり、当接したところで押動が停止され、それ以上押動が不能となる作用が得られる（図３（ａ）参照）。すなわち、スイッチノブ３０の押動を規制（ロック）することができるため、保管・搬送中等において作業者や物がスイッチノブ３０（ここでは、ロックプレート４０の表面４０ａ）に触れても、意図しない駆動が行われることを防止することが可能となる。
【００２２】
一方、スイッチノブ３０に対してロックプレート４０を先端部に押し出した位置である第２位置までスライド移動させることによって、スイッチノブ３０（ここでは、ロックプレート４０の表面４０ａ）が押動された際に、ロックプレート４０の所定部位（ここでは、ロックプレート４０の裏面４０ｂ側の当接部４０ｃ）が本体部１０の突起部１１（ここでは、先端部１１ａ）およびその他のいずれの部位とも当接しない状態となり、スイッチノブ３０を所定位置まで押動することが可能となる（図３（ｂ）参照）。したがって、電源をオンにし、駆動を行うことが可能となる。
【００２３】
一例として、突起部１１の高さが、スライド移動により当接可能となるロックプレート４０の裏面４０ｂ側の当接部４０ｃに対して３［ｍｍ］以下の間隔となるように設定されている。すなわち、突起部１１の先端部１１ａと、ロックプレート４０の裏面４０ｂ側の当接部４０ｃとの間隔（クリアランス）Ｌが３［ｍｍ］以下ということである。これによれば、スイッチノブ３０に対してロックプレート４０を第１位置までスライド移動させる際に、ロックプレート４０の後端部が突起部１１の先端部１１ａおよびその近傍部に衝突して引き出し不能となることが防止でき、且つ、矢印Ａ方向への押動距離を電源がオンにならない距離に抑えることができる。なお、本実施形態においては、当該クリアランスを１［ｍｍ］程度の最適値に設定している。
【００２４】
また、ロックプレート４０には、スライド移動の方向と直交する方向に突出する取手部４０ｄが設けられている。これによれば、ロックプレート４０を第１位置まで引き出す際、および第２位置まで押し出す際に、作業者が取手部４０ｄに指をかけて容易にスライド移動させることが可能となる。
【００２５】
なお、スイッチノブ３０において、ロックプレート４０が係合する部位以外の形状を、例えば、特許文献１等に例示される従来の電動工具に用いられているスイッチノブと同様形状に構成することが好適である。これによれば、従来の電動工具において、スイッチノブのみを本実施形態に係るスイッチノブ３０に交換することが可能となる。このように、互換性を有する構成とすることで、従来工具のユーザーにも本発明の効果が享受できる可能性が拡がる。
【００２６】
以上、説明した通り、本発明に係る電動工具によれば、ロックプレートを所定位置（ロック可能となる第１位置）までスライド移動させることによって、スイッチノブの押動が規制（ロック）された状態とすることが可能となる。これにより、本体部にバッテリを装着した状態で保管や運搬が行われた際に、作業者や物等が意図せずにスイッチノブに触れてしまった場合であっても、スイッチノブが押動されない状態とすることができる。したがって、意図しない駆動が行われることを防止することが可能となる。
【００２７】
なお、本発明は、以上説明した実施例に限定されることなく、本発明を逸脱しない範囲において種々変更が可能である。特に、本電動工具として、圧着工具を例に挙げて説明を行ったが、これに限定されるものではなく、切断工具等においても好適に適用することができる。
【符号の説明】
【００２８】
１  電動工具
１０  本体部
１１  突起部
１１ａ  突起部の先端部
１２  取付部
１４  口金
１６  バッテリ
１８  シャンク
２０  ピストン
２２  ローラ
３０  スイッチノブ
３０ａ  スイッチノブの上面（第１面）
３０ｂ  スイッチノブの後端面
３０ｃ  スイッチノブの側面（第２面）
３０ｅ  スライド溝
３０ｘ  スイッチノブの一端側（後端側）
３０ｙ  スイッチノブの他端側（先端側）
４０  ロックプレート
４０ｃ  ロックプレートの当接部
４０ｄ  取手部
４０ｅ  スライド突起
【図１】
2016175148.tif 000003
【図２】
2016175148.tif 000004
【図３】
2016175148.tif 000005
【図４】
2016175148.tif 000006
【図５】
2016175148.tif 000007
【図６】
2016175148.tif 000008
【図７】
2016175148.tif 000009